(57)【特許請求の範囲】
【請求項１】
筒状の包材に対してテープ状のバナーを伴走させながら、両者をシール手段で挟んで、袋の上下をシールしつつ、該袋の上下に渡ってバナーを取り付ける製袋包装機であって、上記包材を筒状に曲成するセーラ部材と、筒状に曲成された包材をシール手段へ搬送する包材搬送手段と、包材が筒状に曲成される前に、該包材の搬送速度とバナーの搬送速度とを同期させる速度同期手段とを備えると共に、該同期手段からシール手段までの包材の搬送経路とバナーの搬送経路とを異ならせ、該バナーの搬送経路は、上記セーラ部材の包材を屈曲させる縁部を避けるものとしたことを特徴とする製袋包装機。
【請求項２】
速度同期手段は、包材搬送手段で搬送される包材と接触して回転され、その回転でバナーを搬送するローラ部材であることを特徴とする請求項１に記載の製袋包装機。
【請求項３】
バナーの搬送経路は、セーラ部材に設けた切欠きを通過するものであることを特徴とする請求項１又は２に記載の製袋包装機。
【請求項４】
筒状包材の外面に接触して該包材の搬送速度と異なる速度で移動することにより該包材をしごく包装補助手段が備えられていることを特徴とする請求項１から３のいずれかに記載の製袋包装機。
【請求項５】
袋へのバナーの付帯位置を変更する付帯位置変更手段が備えられていることを特徴とする請求項１から４のいずれかに記載の製袋包装機。
【発明の詳細な説明】
【０００１】
【発明の属する技術分野】
本発明は、包装袋を作製しながら被包装物をその中に充填する製袋包装機、より詳しくは、作製した袋の外面に販促文字等を印刷したテープ状のバナーを付帯させる製袋包装機の技術分野に属する。
【０００２】
【従来の技術】
包装袋を作製しながらスナック菓子等の被包装物を充填して包装する製袋包装機が知られている。この包装機では、シート状の包材をフォーマのセーラ部材を通過させて筒状に曲成した後、同じくフォーマのチューブ部材の周囲において重なり合った縦の縁部同士を縦シール装置で熱溶着する。次いで、筒状包材を横シール装置で横方向に熱溶着し、先行する袋の上縁部と後続する袋の下縁部とを一緒に形成する。そして、この横シールした部分を中央部で切断して先行する袋を切り離すと共に、後続する袋にポテトチップス等の被包装物を充填する。この後続の袋は次の横シールにより上縁部がシールされたのち切り離される。
【０００３】
この種の袋詰商品では、袋の外面に販売広告や景品券等を印刷したバナーと称されるテープ状の別部材がしばしば取り付けられる。バナーは、通常、横シールで形成された上縁部と下縁部とで袋に添着される。バナーは、その長さが袋の長さに対して過不足がなく、袋の外面にほぼぴったり沿うように付帯されることが好ましい。これに対し、バナーが袋より短いと、袋がバナーで引っ張られて歪むし、バナーが袋より長いと、余ったバナーが弛んで、いずれも商品の見栄えが低下する。
【０００４】
このようなバナーを製袋と同時に付帯させる包装機として、米国特許第２，８１５，６２０号に係るものがある。この包装機では、横シール装置である一対の横シールジョーで包材を横シールするときに、バナーを一緒に挟み込むことにより、該バナーを袋の上下に渡って取り付ける。すなわち、シールジョーが筒状包材とバナーとを一緒に挟み込んで下方に移動することにより、包材の横シールと、バナーの袋への付帯と、さらに包材及びバナーの搬送とが実行される。
【０００５】
この包装機は間欠式であり、シールジョーが筒状包材とバナーとを一緒に挟み込んで移動するから、包材とバナーとが常に同じ量だけ搬送され、バナーが袋に良好に付帯される。しかし、包材及びバナーに駆動力を与えてこれらを搬送する手段はシールジョー以外に設けられていないから、下方移動したシールジョーが包材及びバナーの挟込みを解除して上方の位置に復帰する間は、包材及びバナーの搬送が停止し、製袋作業が停止する。したがって、生産能力をそれほど高めることができない。
【０００６】
そこで、シールジョーで包材とバナーとを挟んで引き摺り下ろすのではなく、包材に常に駆動力を与えてこれを連続的に搬送する包材搬送手段を別途備えることが提案される。この搬送手段としては、一般に、シールジョーの上流で筒状包材の左右両側部をチューブ部材に押圧し、そして走行することにより筒状包材を下方に送り出す一対のプルダウンベルトが採用される。
【０００７】
ところが、包材搬送手段によって包材を連続搬送するものにおいては、該搬送手段が包材のみと接触し、包材のみを搬送しようとするから、シールジョーが包材及びバナーの挟込みを解除している間は、バナーは横シール部分で袋につながり、その部分で袋の搬送に伴って引き摺られる状態となる。その結果、包材の張力とバナーの張力との間にズレが生じ、両者の搬送量に差異が発生して、袋が歪んだりバナーが余ったりするバナーの付帯不良が生じるのである。
【０００８】
そこで、米国特許第５，３６９，９３６号は、上記問題を解決するため、包材とバナーとをフォーマを通過させる前に予め熱溶着して一体化しておく技術を開示する。すなわち、包材ロールから繰り出された包材と、バナーロールから繰り出されたバナーとを、それぞれの搬送経路の途中において適宜の間隔で剥離可能な程度に熱溶着してからフォーマないしシールジョーへ送り込むのである。こうすれば、包材とバナーとが予め付着して一体化しているから、両者がシールジョーに対してそれぞれ同じ量だけ供給されて、両者の搬送量に差異が生じない。
【０００９】
【発明が解決しようとする課題】
しかし、包材とバナーとを横シールする前に予め付着しておくことに起因して、新たに次のような不具合が生じる。すなわち、まず、上記のような付着が、将来シールジョーで横シールされる部位以外の部位で行なわれると、バナーが袋の上縁部及び下縁部以外の部位でも添着された見栄えのよくない商品が製造されてしまう。そして、それをなるべく避けるために、例えば前後の付着の間隔を長くすると、シールジョーで包材とバナーとを挟み付けたときに、両者の相対位置がズレ易くなるという不具合が生じる。
【００１０】
次に、より重要なことは、その結果、例えば、横シールによって区分される先行する袋のほうでバナーが包材より短いときは、後続する袋のほうではその分必ずバナーが包材より長くなるということである。つまり、包材とバナーとを予め付着しておくと、前後の付着部位間の距離が固定される結果、融通性に欠け、その間で生じたズレや誤差を吸収する余裕がなくなり、残りの部分で必ずその影響を蒙ることになるのである。
【００１１】
さらに、バナーを包材に予め付着させるためのヒータや、該ヒータ温度の制御装置等が必要になり、包装器全体が大掛かりとなって高価なものになってしまう。
【００１２】
本発明は、袋の外面にバナーを付帯させる製袋包装機における上記のような現状に鑑みてなされたもので、解決しようとする課題の第一は、包材搬送手段をフォーマのセーラ部材の下流側に配置した製袋包装機において、包材とバナーとを予め付着して一体化することなく、両者を横シール手段へ同じ量だけ供給し、もってバナーを袋に良好に付帯させることである。以下、その他の課題を含め、本発明を詳しく説明する。
【００１３】
【課題を解決するための手段】
すなわち、上記課題を解決するため、本願の特許請求の範囲における請求項１に記載の発明は、筒状の包材に対してテープ状のバナーを伴走させながら、両者をシール手段で挟んで、袋の上下をシールしつつ、該袋の上下に渡ってバナーを取り付ける製袋包装機であって、上記包材を筒状に曲成するセーラ部材と、筒状に曲成された包材をシール手段へ搬送する包材搬送手段と、包材が筒状に曲成される前に、該包材の搬送速度とバナーの搬送速度とを同期させる速度同期手段とを備えると共に、該同期手段からシール手段までの包材の搬送経路とバナーの搬送経路とを異ならせ、該バナーの搬送経路は、上記セーラ部材の包材を屈曲させる縁部を避けるものとしたことを特徴とする。
【００１４】
この発明によれば、バナーを包材の搬送速度と同期させたのちは、該包材と異なる経路、具体的には、セーラ部材の包材を屈曲させる比較的接触抵抗の大きい縁部を避ける経路でシール手段まで搬送するから、バナーに余分な抵抗を作用させることが回避できて、その結果、シール手段への供給時において、バナーの搬送速度を包材の搬送速度と同期させたままに維持することができる。したがって、シール手段へのバナーの供給量と包材の供給量とをほぼ同じとし、バナーを良好に袋に付帯させることが可能となる。
【００１５】
しかも、この場合、包材とバナーとを異なる経路で搬送するから、両者が接触し、擦れ合って、表面が損傷する等の不具合も極力低減することができる。また、包材とバナーとを予め付着して一体化しないから、バナーが上縁部及び下縁部以外の部位で袋に添着された見栄えのよくない商品が製造されることがなく、さらに、先行する袋で発生した包材とバナーとのズレや誤差が、上流側のロールにまで至る包材及びバナーの後続部分ですべて吸収され、そのようなズレや誤差の影響が直ちに残りの後続部分に及んだり、ましてや蓄積されたりすることがない。
【００１６】
次に、請求項２に記載の発明は、上記請求項１に記載の発明において、速度同期手段は、包材搬送手段で搬送される包材と接触して回転され、その回転でバナーを搬送するローラ部材であることを特徴とする。
【００１７】
この発明によれば、バナーの搬送速度を包材の搬送速度に同期させるために、例えばモータの回転速度を細かに制御するというようなことをせずに済み、低コスト且つ簡素な構成で、包材の搬送速度をバナーに正しく伝達することができる。
【００２０】
次に、請求項３に記載の発明は、上記請求項１又は２に記載の発明において、バナーの搬送経路は、セーラ部材に設けた切欠きを通過するものであることを特徴とする。
【００２１】
この発明によれば、バナーをセーラ部材の縁部を回避して搬送する一態様が具体化され、セーラ部材の縁部に至る途中に切欠きを設け、バナーを該切欠きに通して案内するバイパス経路が採用される。縁部を通過させるときに比べて、バナーの屈曲角が小さくなり、セーラ部材から受ける接触抵抗を小さくすることができて好ましい。これ以外にも、セーラ部材をまったく経由させずに、より自由な経路でバナーをシール手段に案内してもよい。
【００２２】
次に、請求項４に記載の発明は、上記請求項１から３のいずれかに記載の発明において、筒状包材の外面に接触して該包材の搬送速度と異なる速度で移動することにより該包材をしごく包装補助手段が備えられていることを特徴とする。
【００２３】
この発明によれば、包材をしごくことによって、遅れて落下してきた粉状の被包装物が横シール部分に噛み込まれてシール不良を起こすことが防止される。その場合に、バナーを包材に予め付着させていないから、包装補助手段が包材の搬送速度と異なる速度で包材の外面を移動しても、バナーが上記補助手段で引っ張られて袋から強制的に剥離され、その結果、袋に穴が空いたり、袋が破損するというような不具合が生じることがない。
【００２４】
ここで、包装補助手段の移動速度と、包材の搬送速度とを異ならせるためには、包装補助手段の移動速度を変化させるか、あるいは包材の搬送速度を変化させるか、あるいはその両方を変化させることが必要であるが、特に、包材の搬送速度を変化させる場合であっても、該包材の搬送速度とバナーの搬送速度とが同期されるから、バナーの付帯不良が発生しない。
【００２５】
そして、その場合に、前述のように、速度同期手段としてローラ部材を用いた場合は、包材の搬送速度だけを変化させれば、バナーの搬送速度がそれに追随して同期して変化するから、両搬送速度を同期させるようにそれぞれ別々に制御しなくて済み、特に有利となる。
【００２６】
なお、包装補助手段としては、それ専用の部材を設けてもよいが、シール手段を兼用することも可能である。
【００２７】
次に、請求項５に記載の発明は、上記請求項１から４のいずれかに記載の発明において、袋へのバナーの付帯位置を変更する付帯位置変更手段が備えられていることを特徴とする。
【００２８】
この発明によれば、例えば、バナーを袋の幅方向中央部、左側部、あるいは右側部等、いろいろな位置に付帯させることが可能となる。
【００２９】
以下、さらにその他の課題を含め、添付の図面を参照して、発明の実施の形態を説明することにより、本発明をさらに詳しく説述する。
【００３０】
【発明の実施の形態】
図面に示す本実施の形態に係る製袋包装機１は縦型ピロー包装機である。すなわち、図１に示すように、この包装機１は、本体２の前方にフォーマ３を備え、該フォーマ３のチューブ（チューブ部材）４が上下に延びている。また、図２に示すように、この包装機１は、上記フォーマ３のチューブ４及びセーラ（セーラ部材）５に向けて、本体２の後方に収容された包材ロールＲｗからシート状の包材Ｗを繰り出して連続搬送し、袋詰商品Ｇを高速生産する。さらに、図２に示すように、この包装機１は、本体２の後方に収容されたバナーロールＲｂから販売広告や景品券等を印刷したテープ状のバナーＢを繰り出して上記包材Ｗに伴走させ、該バナーＢを図８に示すように商品Ｇの上下に渡って取り付ける。
【００３１】
まず、この包装機１における包材Ｗの搬送経路について説明する。なお、明瞭な図示のため、図中、包材Ｗ及びバナーＢを一部鎖線で示してある。図３及び図４に示すように、この包装機１は、本体２の後面に、支持ボックス１１と、支持アーム１２と、左右一対の支持フレーム１３，１４とを備える。支持ボックス１１は、後面においてやや右寄り（正面から見ていう）の下方に配置され、後方に突出するシャフト１５を有する。そして、このシャフト１５に包材ロールＲｗが回転自在に支持されている。
【００３２】
支持アーム１２は、やや右寄り（正面から見ていう）の上方に配置され、上記支持ボックス１１の直上方に位置する基部１２ａと、後上方に斜めに延びる傾斜部１２ｂと、包材ロールＲｗの上方に位置する水平部１２ｃとを有する。そして、この水平部１２ｃの右側面に、前後に延びる上下一対のガイドバー１６，１７が備えられている。包材Ｗは、包材ロールＲｗから上方に繰り出され、これらのガイドバー１６，１７で案内されて、水平部１２ｃの右側方及び上方を通過し、左方に向かう。
【００３３】
水平部１２ｃの上面と左側の支持フレーム１３との間に、水平ではあるが正面及び側面に対して４５度斜めに配置されたガイドバー１８が架設されている。また、このガイドバー１８の前方で、支持フレーム１３，１４間には、左右に延びるガイドローラ１９が架設され、さらに、このガイドローラ１９の下方には、ダンサローラ２０が設けられている。支持アーム１２の水平部１２ｃの上方を左方に向かった包材Ｗは、上記の斜めのガイドバー１８で前方に９０度方向転換したのち、上記のガイドローラ１９やダンサローラ２０を経由して、本体２の後面を上方に向かう。
【００３４】
図２に示すように、本体２の上面の後部には、包材Ｗの所定の部位に製造年月日や製造番号等を印字するプリンタ６が据え付けられている。このプリンタ６の後面には、包材Ｗを導入するためのガイドローラ２１が備えられている。また、図５及び図６に示すように、本体２の上面の前部には、左右一対の支持フレーム２２，２３が立設され、該フレーム２２，２３間に、３つのガイドローラ２４，２５，２６が架設されている。本体２の後面を上方に向かった包材Ｗは、上記導入ローラ２１でプリンタ６内に導入され、該プリンタ６を通過したのち、上記の３つのローラ２４，２５，２６でやや下方に案内されて、さらに本体２の前方のフォーマ３に向かう。
【００３５】
ここで、３つのローラ２４，２５，２６のうちの最前方のローラ２６には、下方から別の小径のローラ（ローラ部材）６７が押し付けられている。そして、包材Ｗは、これらの２つのローラ２６，６７で挟み付けられた状態で、該ローラ２６，６７間を通過することになるが、これについてはさらに後述する。
【００３６】
図５及び図６に示すように、フォーマ３は、上下に延びるチューブ４と、該チューブ４の周囲に配置されたセーラ５とを有する。チューブ４の上部開口４ａは逆円錐状に拡径し、該開口４ａを介してポテトチップス等の被包装物Ｘ…Ｘが例えば図示しない組合せ計量装置からチューブ４内に落下される。また、セーラ５は、チューブ４に近接するほど高くなる傾斜面５ａを有し、該傾斜面５ａに包材Ｗが導かれる。フォーマ３は、図１及び図２に示すように、これらのチューブ４及びセーラ５をフレーム２７に組み付けて一体にユニット化したもので、該ユニットが本体２の前面に設けられた前方支持部２ａに着脱自在に取り付けられている。
【００３７】
図５及び図６に示すように、上記の２つのローラ２６，６７間を通過した包材Ｗは、セーラ５の傾斜面５ａを後方から上っていき、チューブ４に近接する該セーラ５の上縁部５ｂにおいて急角度θｗに屈曲されて下方に向かう。これにより、シート状の包材Ｗはチューブ４の周囲で筒状に曲成される。このとき、図１に示すように、重なり合った縦の縁部はチューブ４の前面側に配置される。筒状包材Ｗは、左右一対のプルダウンベルト機構（包材搬送手段）７，７で下方に連続搬送されながら、縦シール装置８によって上記の縦の縁部同士が熱溶着される。
【００３８】
図１に示すように、各ベルト機構７は、本体２の前方支持部２ａの前面に設けられた上下一対のプーリ７１，７２と、該プーリ７１，７２間に巻き掛けられた平ベルト７３とを有し、チューブ４の周囲で垂下した筒状包材Ｗの側部を上記平ベルト７３でチューブ４の側面４ｂ，４ｂに押圧する。そして、その状態で、平ベルト７３を走行させることにより、筒状包材Ｗを下方に送り出す。これにより、本体２の後方のロールＲｗから繰り出された包材Ｗの全体が上記の搬送経路に沿って搬送されることになる。
【００３９】
縦シール装置８は、前方支持部２ａから前方に延びる平面視Ｌ字状のアーム８ａに組み付けられ、チューブ４の前面４ｃに対向して配置されている。そして、筒状包材Ｗの縦の縁部をチューブ４の前面に押圧することにより、該縁部同士をラップシール又はフィンシールする。
【００４０】
ここで、チューブ４の前面４ｃ及び左右側面４ｂ，４ｂはいずれも平坦状に形成されて、上記縦シール装置８及び包材搬送手段７の平ベルト７３，７３がチューブ４に広い面積で当接する。また、チューブ４の後面４ｄは開放されている。
【００４１】
縦シールされた筒状包材Ｗは、チューブ４を介しての被包装物Ｘ…Ｘの充填と、前後一対のシールジョー（シール手段）９，９による横シールとが交互に行なわれる。シールジョー９，９は、チューブ４の下方で筒状包材Ｗの搬送経路を挟んで前後に配置され、対接離反することにより該包材Ｗを前後から挟み付けて横方向に熱溶着する。これにより、この横シールした部分より下に位置する先行する袋Ｇの上縁部と、上に位置する後続する袋Ｇの下縁部とが同時に形成される。いずれか一方のシールジョー９には図示しないカッタが内蔵され、該カッタで横シール部分の中央部を横方向に切断する。これにより、先行する袋Ｇが切り離され、当該包装機１から排出されることになる。
【００４２】
また、図９に示すように、各シールジョー９，９の下部には、次に説明するしごき動作を行うためのしごき部材（包装補助手段）９１，９１が取り付けられている。
【００４３】
ここで、このシールジョー９，９は、長い対接時間（シール時間）を確保するため、図２に示したように、Ｄ字状の軌跡を描くように運動する（Ｄモーション）。すなわち、矢印ａのように対接した状態で真っ直ぐ下方に移動し、所定の最下方位置で離反したのち、矢印ｂのように上方の位置に戻るのである。これにより、生産能力向上のために包材Ｗが高速搬送されても、十分なシール時間を確保することが可能となる。
【００４４】
通常、シールジョー９，９の下方ａへの移動速度は、プルダウンベルト機構７，７による包材Ｗの搬送速度と同期している。しかし、各シールジョー９，９の下部には、袋Ｇに対してしごき動作を行うしごき部材（包装補助手段）９１，９１が取り付けられている。このしごき動作は、詳しくは、特開平１０−５３２０６号公報に開示されているように、また、図９に示すように、シールジョー９，９が袋Ｇを封止する前に、しごき部材９１，９１が先行して袋Ｇをしごくことにより、遅れて落下してきた粉状の被包装物Ｘ…Ｘがシールジョー９，９の対接位置に噛み込まれてシール不良が起きることを回避するものである。このとき、シールジョー９，９の移動速度は、包材Ｗの搬送速度よりも大きくされる。
【００４５】
また、図５及び図６に示すように、チューブ４の内面には、窒素ガス等の酸化防止用の不活性ガスを袋Ｇに充填するためのガス管路４ｅが形成されている。
【００４６】
次に、バナーＢの搬送経路を説明する。図３及び図４に示すように、本体２の後面の支持アーム１２における水平部１２ｃの左側面に、左方に延びる前後一対のピン３１，４１が突設されている。後側のピン３１にはバナーロール支持ユニット３２が左右に移動自在に備えられている。すなわち、後側のピン３１に、縦長の支持プレート３３がボス部３３ａを介して移動自在に嵌合されている。ボス部３３ａには、支持プレート３３をピン３１に固定するためのハンドル３４が備えられている。
【００４７】
支持プレート３３の下部には、所定の間隔を開けて、逆三角形状の当て板３５が取り付けられている。そして、これらの支持プレート３３と当て板３５とに軸支されて、シャフト３６が回転自在に設けられている。シャフト３６には、上記支持プレート３３と当て板３５との間において、ブレーキ機構のドラム３７が一体に組み付けられている。また、シャフト３６は、当て板３５より左方に突出する部分３６ａが四角柱状に成形されて、この四角柱状の部分３６ａにバナーロールＲｂの軸心部が外嵌されて係止し、これにより、バナーロールＲｂが当該支持ユニット３２に回転自在に支持されている。
【００４８】
これに対し、前側のピン４１にはガイドローラユニット４２が同じく左右に移動自在に備えられている。すなわち、前側のピン４１に、Ｌ字状のブロック体４３が移動自在に嵌合されている。ブロック体４３には、該ブロック体４３をピン４２に固定するためのハンドル４４が備えられている。
【００４９】
ブロック体４３には、前下方に斜めに延びる角柱状のロッド４５が取付ブロック４６を介して備えられ、このロッド４５にスライダ４７がスライド自在に外嵌されている。さらに、このスライダ４７に取付ブロック４８が設けられ、この取付ブロック４８に３つのガイドローラ４９，５０，５１が設けられている。また、これらのガイドローラ４９，５０，５１に対向して、上側の取付ブロック４６にも２つのガイドローラ５２，５３が備えられている。
【００５０】
バナーＢは、バナーロールＲｂから前方に繰り出され、上記のガイドローラユニット４２の上下の５つのガイドローラ４９，５０，５１，５２，５３に順に蛇行するように巻き掛けられる。このとき、下側の取付ブロック４８と、バナーロール支持ユニット３２の当て板３５との間にシュー５４が掛け渡され、このシュー５４がバナーロール支持ユニット３２のシャフト３６のドラム３７を周回してブレーキ機構が構成されている。
【００５１】
すなわち、バナーＢの張力が小さくなると、バナーＢが緩んで、図示したように、スライダ４７及び下側取付ブロック４８がロッド４５に沿って自重で降下する。すると、シュー５４がドラム３７を締め付け、ブレーキが効いてバナーＢの繰り出しが停止する。一方、バナーＢの張力が大きくなると、バナーＢが緊張して、スライダ４７及び下側取付ブロック４８がロッド４５に沿って上昇する。すると、シュー５４によるドラム３７の締付けが解除され、ブレーキが外れてバナーＢの繰り出しが開始する。これにより、搬送経路には常に一定以上の張力のバナーＢのみが供給される。
【００５２】
なお、ガイドローラユニット４２の上側の取付ブロック４６には、バナーＢの終了を検知するバナーエンド検知マイクロスイッチ５５が備えられている。本実施の形態においては、バナーＢの通常走行中は、スライダ４７が上側取付ブロック４６に当接するまで上昇し、このとき下側取付ブロック４８の上縁部がスイッチ片５５ａを下方から押し上げて上記スイッチ５５をオンにする。一方、バナーロールＲｂからバナーＢがすべて繰り出されると、バナーＢが緩んで、スライダ４７及び下側取付ブロック４８が降下し、スイッチ５５をオフにする。これにより、バナーＢの終了が検知される。
【００５３】
また、ロッド４５の下端部には、スライダ４７の抜け止めを図るストッパ５６が設けられている。
【００５４】
本体２の後面の左側の支持フレーム１３に、後方に延びるブラケット１３ａが設けられ、このブラケット１３ａと、支持アーム１２の傾斜部１２ｂの上端部との間に、左右に延びる長尺のガイドローラ５７が架設されている。また、支持アーム１２の基部１２ａの左側面には、大径のガイドローラ５８が備えられている。この大径のガイドローラ５８は、包材Ｗを案内する前述のダンサローラ２０の下方に位置している。
【００５５】
さらに、支持フレーム１３，１４間には、本体２の後上の角部の近傍において、別のガイドローラ５９が架設されている。このガイドローラ５９には、左右一対の位置決めブロック６０，６０が移動自在に嵌合されている。位置決めブロック６０，６０は、このローラ５９を通過するバナーＢを左右から挟み付けて、バナーＢの左右方向の位置決めをする。
【００５６】
ガイドローラユニット４２を通過したバナーＢは、上記長尺ローラ５７及び大径ローラ５８で支持アーム１２に沿うように案内されたのち、本体２の後面を上方に向かい、上記の位置決め機能付きのガイドローラ５９を経由して、本体２の上方を前方に向かう。このとき、バナーＢは並走する包材Ｗの下方を走行する。
【００５７】
図５及び図６に示すように、本体２の上面の支持フレーム２２，２３間に角柱状のビーム６１が架設され、このビーム６１にスライドブロック６２がスライド自在に外嵌されている。スライドブロック６２にはブラケット６３を介してガイドレール６４が垂下されている。ガイドレール６４は、上面が開放した縦断面コ字状の通路６４ａを提供する。通路６４ａは、包材Ｗを案内する３つのガイドローラ２４，２５，２６の下方に位置し、プリンタ６と、前述の上下２つのローラ２６，６７との間で前後に延びる。通路６４ａの前端部には、小径のガイドローラ６５が配設されている。また、スライドブロック６２には、該ブロック６２をビーム６１に固定するためのノブ６６が備えられている。
【００５８】
本体２の上方を前方に向かったバナーＢは、プリンタ６の下方をくぐり抜け、上記通路６４ａを経由して、小径ローラ６５の下方からガイドレール６４を前方に抜け出たのち、上下２つのローラ２６，６７に向かう。このとき、バナーＢはやはり並走する包材Ｗの下方を走行する。
【００５９】
最前方のローラ２６の下方には、別の小径のローラ６７が配設されている。このローラ６７は、特にゴムで製造されている。すなわち、本体２の上面の前端部に、前方に水平に張り出すブラケット２ｂが備えられ、このブラケット２ｂの上方にローラ６７のフレーム６８が配置されている。フレーム６８の下面から複数のピン６８ａ，６８ａが下方に突出し、ブラケット２ｂを貫通している。各ピン６８ａの先端部にはヘッド６８ｂが取り付けられ、ピン６８ａの上方への抜け止めが図られている。
【００６０】
そして、ピン６８ａの周囲において、水平ブラケット２ｂとローラフレーム６８との間にコイルスプリング６８ｃが介装されている。これにより、ローラフレーム６８がスプリング６８ｃ，６８ｃの付勢力で上方に押し上げられ、ゴムローラ６７が上側のローラ２６に適宜の押圧力で押し付けられている。
【００６１】
ガイドレール６４から前方に抜け出たバナーＢは、包材Ｗと同様、これらの上下２つのローラ２６，６７の間を通過して、本体２の前方のフォーマ３に向かう。すなわち、包材Ｗは、上方から２つのローラ２６，６７間に導入され、バナーＢは、下方から２つのローラ２６，６７間に導入される。
【００６２】
このとき、図７に示すように、ゴムローラ６７は、バナーＢの幅より長く設定されている。また、包材Ｗの幅はバナーＢの幅より明らかに大きい。したがって、下側のゴムローラ６７は、下側のバナーＢと接触することはもちろん、バナーＢの上側を走行する包材Ｗとも接触する。その結果、ゴムローラ６７は、プルダウンベルト機構７，７で搬送される包材Ｗの走行によって回転され、その回転によってバナーＢを搬送する。すなわち、バナーＢに走行のための駆動力を伝達する。
【００６３】
その場合に、上記ローラ６７が弾性に富むゴムで製造されているから、ローラ６７と包材Ｗとの間に滑りが生じず、ローラ６７は包材Ｗの搬送速度と同じ速度で回転する。また、ローラ６７とバナーＢとの間にも滑りが生じず、ローラ６７はバナーＢを回転速度と同じ速度で搬送する。これにより、包材Ｗの搬送速度とバナーＢの搬送速度とを同期させる速度同期手段が構成される。
【００６４】
図５及び図６に示すように、フォーマ３のセーラ５の背面側の傾斜面５ａの途中には、左右に延びるスリット５ｃが形成されている。また、セーラ５の内部には、上記スリット５ｃとほぼ同じ高さにガイドローラ６９が備えられている。ガイドローラ６９は、スリット５ｃとほぼ同じ長さで、スリット５ｃの直前方に配置されている。すなわち、図６に示すように、セーラ５の内部にベース６９ａが組み付けられ、該ベース６９ａにブラケット６９ｂを介してガイドローラ６９が備えられている。
【００６５】
２つのローラ２６，６７間を通過したバナーＢは、途中まで包材Ｗと同様、セーラ５の傾斜面５ａを後方から上がっていく。しかし、セーラ５の上縁部５ｂには至らず、バナーＢは該上縁部５ｂの手前のスリット５ｃを通過してセーラ５の内部に入る。そして、少し前方に進んでローラ６９に到達し、該ローラ６９で下方に案内される。下方に案内されたバナーＢは、特にチューブ４の後面側において、該チューブ４の周囲で筒状に曲成された包材Ｗの外面に近接する。したがって、バナーＢは、チューブ４の前面側で重なり合った縦の縁部と該チューブ４を挟んで反対側に位置する。
【００６６】
このとき、図６に示すように、セーラ５によるバナーＢの屈曲角度θｂは包材Ｗの屈曲角度θｗに比べて小さい。これは、包材Ｗがセーラ５の上縁部５ｂにおいて一気に下方に向けられるのに対し、バナーＢはスリット５ｃにおいて一旦前方に向けられるからである。スリット５ｃには、バナーＢを安定に水平前方に向けるための水平前方延設部分５ｄが形成されている。
【００６７】
そして、スリット５ｃを通過したバナーＢは、接触面が曲面で、接触面積が大きく、且つ回転自在のローラ６９によって９０度下方に方向転換される。また、上記屈曲角度θｗ，θｂは、接触面が線状で、接触面積が小さく、且つ回転等しないセーラ５の縁部における角度である。したがって、このセーラ５を通過する際、包材Ｗは相対的に大きい接触抵抗を受け、バナーＢは相対的に小さい接触抵抗を受ける。
【００６８】
その場合に、包材Ｗを搬送するプルダウンベルト機構７，７が、このセーラ５の下流側に配置されているから、包材Ｗは、このセーラ５を通過した後に走行のための駆動力を受ける。したがって、セーラ５通過時の接触抵抗が大きくても、セーラ５より下流側における包材Ｗの搬送速度ないし搬送量は保持される。
【００６９】
これに対し、バナーＢは、このセーラ５を通過する前に、前述したように、ゴムローラ６７から走行のための駆動力を受ける。しかし、セーラ５通過時の接触抵抗が小さいから、セーラ５より下流側におけるバナーＢの搬送速度ないし搬送量はやはり保持される。すなわち、包材Ｗ及びバナーＢは、搬送速度ないし搬送量が相互に同期した状態で横シールジョー９，９に供給される。
【００７０】
横シールジョー９，９は、筒状包材Ｗの横シール時にバナーＢを一緒に挟み付けて熱溶着することにより、該バナーＢを袋Ｇの上縁部と下縁部とに添着させて該袋Ｇの外面に付帯させる。その場合に、包材Ｗ及びバナーＢはその搬送速度ないし搬送量が相互に同期した状態で横シールジョー９，９に供給されるから、例えば袋ＧがバナーＢで引っ張られて歪んだり、余ったバナーＢが弛んだりせず、バナーＢは良好に袋Ｇに付帯される。
【００７１】
このように、バナーＢをローラ２６，６７で包材Ｗの搬送速度と同期させたのちは、バナーＢを包材Ｗと異なる経路で横シールジョー９，９まで搬送することにより、特に、包材Ｗが通過する比較的接触抵抗の大きい部位、すなわちセーラ５の上縁部５ｂを避けてバナーＢを搬送することにより、バナーＢに余分な抵抗を作用させることが回避できて、その結果、横シールジョー９，９への供給時において、バナーＢの搬送速度を包材Ｗの搬送速度と同期させたままに維持することができる。したがって、横シールジョー９，９へのバナーＢの供給量と包材Ｗの供給量とをほぼ同じとし、バナーＢを良好に袋Ｇに付帯させることが可能となる。
【００７２】
しかも、この場合、包材ＷとバナーＢとを異なる経路で搬送するから、両者Ｗ，Ｂが接触し、擦れ合って、それらの表面が損傷し、印刷がかすれる等の不具合も極力低減することができる。また、包材ＷとバナーＢとを予め付着して一体化しないから、バナーＢが上縁部及び下縁部以外の部位で袋Ｇに添着された見栄えのよくない商品が製造されることがない。さらに、先行する袋で発生した包材ＷとバナーＢとのズレや誤差が、搬送経路の上流側のロールＲｗ，Ｒｂにまで至る包材Ｗ及びバナーＢの後続部分ですべて吸収され、そのようなズレや誤差の影響が直ちに残りの後続部分に及んだり、ましてや蓄積されたりすることがない。
【００７３】
特に、速度同期手段を、プルダウンベルト機構７，７で搬送される包材Ｗと接触して回転され、その回転でバナーＢを搬送するローラ部材６７で構成したから、モータ等を使わずに、低コスト且つ簡素な構成で、包材Ｗの搬送速度をバナーＢに正しく伝達することができる。
【００７４】
また、特に、バナーＢの搬送経路として、セーラ５の上縁部５ｂに至る途中にスリット５ｃを設け、バナーＢを該スリット５ｃに通して案内するバイパス経路を採用したから、上縁部５ｂを通過させるときに比べて、バナーＢの屈曲角θｂを小さくすることができ、その結果、セーラ５から受ける接触抵抗を小さくすることができる。
【００７５】
あるいは、これに代えて、バナーＢをセーラ５をまったく経由させずに、横シールジョー９，９に案内することもできる。その場合は、例えば、バナーＢを、ローラ２６，６７で搬送速度を同期させた後、セーラ５の方向に上昇させず、真っ直ぐ前方に案内し、筒状包材Ｗの外面の近傍で下方に案内するとよい。
【００７６】
前述したように、この製袋包装機１では、横シールジョー９，９を包材Ｗよりも速く下方移動ａ，ａさせることにより包材Ｗをしごくことができる。その場合に、バナーＢを包材Ｗに予め付着させていないから、横シールジョー９，９が包材Ｗの搬送速度と異なる速度で包材Ｗの外面を移動しても、バナーＢが上記シールジョー９，９で引っ張られて包材Ｗから強制的に剥離され、その結果、袋Ｇに穴が空いたり、袋Ｇが破損するというような不具合が生じない。
【００７７】
加えて、包材Ｗの搬送速度を変化させる場合であっても、該包材Ｗの搬送速度とバナーＢの搬送速度とが常にローラ２６，６７で同期されるから、バナーＢの付帯不良が発生しない。しかも、その場合に、プルダウンベルト機構７，７だけを操作して、包材Ｗの搬送速度だけを変化させれば、バナーＢの搬送速度がそれに追随し、自然と同期して変化するから、両搬送速度をそれぞれ別々に制御するようなことをしなくて済む。
【００７８】
この製袋包装機１では、包材Ｗに対するバナーＢの搬送経路ないし付帯位置を決定する、バナーロール支持ユニット３２、ガイドローラユニット４２、位置決めブロック６０，６０、及びガイドレール６４の左右方向における位置が変更可能とされている。したがって、これらの左右方向の位置を変更することにより、例えば、図８に示すように、バナーＢを袋Ｇの幅方向中央部に取り付けることもでき、またそれ以外に、バナーＢを袋Ｇの左側部、あるいは右側部等、いろいろな位置に変更して付帯させることが可能となる。
【００７９】
なお、この実施の形態では、それぞれの左右方向の位置変更をハンドル３４，４４やノブ６６の手動操作で行うようにしたが、例えばモータを採用して自動で行うようにしてもよい。また、それぞれの左右方向の位置変更を個別に行うようにしたが、例えば巻き掛け伝動機構を採用して全体が連動して位置変更するように構成してもよい。
【００８０】
さらに、製袋包装機の操作パネル、あるいは製袋包装機を組み込んだ生産システム全体を操作するための操作パネル上に、バナーの取付位置を図や数値で表示する表示手段を備えると共に、所定のキー操作でバナーの取付位置の設定変更を行い得るように構成してもよい。
【００８１】
【発明の効果】
以上説明したように、本発明の製袋包装機によれば、プルダウンベルト機構のような連続式の包材搬送手段をフォーマのセーラ部材の下流側に配置した場合に、包材とバナーとを予め付着して一体化することなく、両者を横シールジョーへ同じ量だけ供給し、もって高速運転してもバナーを袋に良好に付帯させることができる。本発明は、販売広告や景品券等を印刷したバナーを包装袋の外面に付帯させる製袋包装機一般に広く好ましく適用可能である。
【図面の簡単な説明】
【図１】  本発明の実施の形態に係る製袋包装機の概略正面図である。
【図２】  同じく概略右側面図であって、特に、構成要素の明瞭な図示のため、本体後方の右側の支持フレーム及び本体上面の右側の支持フレームの図示を省略したものである。
【図３】  同包装機の後部要部の拡大左側面図であって、特に、構成要素の明瞭な図示のため、本体後方の左側の支持フレームの図示を省略したものである。
【図４】  同じく後部の一部切欠き拡大平面図であって、特に、構成要素の明瞭な図示のため、本体後方の支持ボックス及び包材ロールの図示を省略したものである。
【図５】  同包装機の前部の一部切欠き拡大平面図である。
【図６】  同じく前部要部の一部切欠き拡大左側面図である。
【図７】  同包装機の速度同期手段の要部の拡大背面図である。
【図８】  バナーが付帯された袋詰商品の説明図である。
【図９】  シールジョーの直下方に設けられたしごき部材を示す概略拡大側面図である。
【符号の説明】
１        製袋包装機
３        フォーマ
４        チューブ
５        セーラ（セーラ部材）
５ｂ      セーラ上縁部
５ｃ      スリット（切欠き）
７        プルダウンベルト機構（包材搬送手段）
９        シールジョー（シール手段）
２６      ガイドローラ
６７      ゴムローラ（ローラ部材）
６９      ガイドローラ
９１      しごき部材（包装補助手段）
Ｂ        バナー
Ｇ        包装袋
Ｒｂ      バナーロール
Ｒｗ      包材ロール
Ｗ        包材
【図１】
0004627361.tif 000002
【図２】
0004627361.tif 000003
【図３】
0004627361.tif 000004
【図４】
0004627361.tif 000005
【図５】
0004627361.tif 000006
【図６】
0004627361.tif 000007
【図７】
0004627361.tif 000008
【図８】
0004627361.tif 000009
【図９】
0004627361.tif 000010